【手続補正書】
【提出日】令和2年4月6日(2020.4.6)
【手続補正１】
【補正対象書類名】特許請求の範囲
【補正対象項目名】全文
【補正方法】変更
【補正の内容】
【特許請求の範囲】
【請求項１】
三次元モデルの三次元形状データから生成された造形材料の種類およびその配置の情報を含むスライスデータに対して処理をおこなうデータ処理装置であって、
前記スライスデータに含まれるｉ層のデータと（ｉ＋１）層のデータとを解析して第１の造形材料とは異なる第２の造形材料の層が前記第１の造形材料の上に積層される領域を抽出し、前記領域の面積と所定値とを比較して、前記領域の面積が前記所定値以上の場合には、前記領域内の第ｉ層および第（ｉ＋１）層の少なくとも一方のスライスデータを、第１の造形材料と第２の造形材料が、前記所定値よりも小さい面積で分散配置されるデータに変更することを特徴とするデータ処理装置。
【請求項２】
前記第ｉ層および前記第（ｉ＋１）層の少なくとも一方の前記領域のデータを、前記第１の造形材料が配置される部分と前記第２の造形材料が配置される部分をパターン状に配置するデータに変更することを特徴とする請求項１に記載のデータ処理装置。
【請求項３】
前記領域において、前記第１の造形材料が配置される部分と前記第２の造形材料が配置される部分のピッチが、少なくとも一方向において２ｍｍ未満であることを特徴とする請求項２に記載のデータ処理装置。
【請求項４】
前記領域において、前記第１の造形材料が占める部分の合計面積をＳ１、第２の造形材料が占める部分の合計面積をＳ２としたとき、
０．２≦Ｓ１／（Ｓ１＋Ｓ２）≦０．８
を満たすことを特徴とする請求項２または３に記載のデータ処理装置。
【請求項５】
前記第ｉ層および前記第（ｉ＋１）層の少なくとも一方の前記領域のデータを、前記第１の造形材料と前記第２の造形材料との混合材料を配置するデータに変更することを特徴とする請求項１に記載のデータ処理装置。
【請求項６】
前記領域において、前記第１の造形材料が占める体積の合計をＶ１、前記第２の造形材料が占める体積の合計をＶ２としたとき、
前記第１の造形材料と前記第２の造形材料との混合材料が
０．２≦Ｖ１／（Ｖ１＋Ｖ２）≦０．８
を満たすことを特徴とする請求項５に記載のデータ処理装置。
【請求項７】
請求項１から６のいずれか１項に記載のデータ処理装置と、前記スライスデータに基づいて造形材料を積層する積層部と、を備えることを特徴とする造形システム。
【請求項８】
三次元モデルの三次元形状データから生成された造形材料の種類およびその配置の情報を含むスライスデータに対しておこなうデータ処理方法であって、
前記スライスデータに含まれるｉ層のデータと（ｉ＋１）層のデータとを解析して第１の造形材料とは異なる第２の造形材料の層が前記第１の造形材料の上に積層される領域を抽出するステップと、
前記領域の面積と所定値とを比較して、前記領域の面積が所定値以上の場合には、前記領域内の第ｉ層および第（ｉ＋１）層の少なくとも一方のスライスデータを、第１の造形材料と第２の造形材料が、前記所定値よりも小さい面積で分散配置されるデータに変更するステップと、
を含むことを特徴とするデータ処理方法。
【請求項９】
前記第ｉ層および前記第（ｉ＋１）層の少なくとも一方の前記領域のデータを、前記第１の造形材料が配置される部分と前記第２の造形材料が配置される部分をパターン状に配置するデータに変更することを特徴とする請求項８に記載のデータ処理方法。
【請求項１０】
前記領域において前記第１の造形材料が配置される部分と前記第２の造形材料が配置される部分のピッチが、少なくとも一方向において２ｍｍ未満であることを特徴とする請求項９に記載のデータ処理方法。
【請求項１１】
前記領域において、前記第１の造形材料が占める部分の合計面積をＳ１、第２の造形材料が占める部分の合計面積をＳ２としたとき、
０．２≦Ｓ１／（Ｓ１＋Ｓ２）≦０．８
を満たすことを特徴とする請求項９または１０に記載のデータ処理方法。
【請求項１２】
前記第ｉ層および前記第（ｉ＋１）層の少なくとも一方の前記領域のデータを、前記第１の造形材料と前記第２の造形材料との混合材料を配置するデータに変更することを特徴とする請求項７に記載のデータ処理方法。
【請求項１３】
前記領域において、前記第１の造形材料が占める体積の合計をＶ１、前記第２の造形材料が占める体積の合計をＶ２としたとき、
前記第１の造形材料と前記第２の造形材料との混合材料が
０．２≦Ｖ１／（Ｖ１＋Ｖ２）≦０．８
を満たすことを特徴とする請求項１２に記載のデータ処理方法。
【請求項１４】
データ処理装置に、請求項８から１３のいずれか一項に記載のデータ処理方法を実行させるためのプログラム。
【請求項１５】
三次元モデルの三次元形状データから生成されるスライスデータに基づいて造形材料を積層する立体物の製造方法であって、
前記スライスデータに従うと、第１の造形材料とは異なる第２の造形材料が前記第１の造形材料の上に積層する領域が所定値以上の面積で形成される場合に、前記領域において第１の造形材料と第２の造形材料が、前記所定値よりも小さい面積で分散配置されるように積層することを特徴とする立体物の製造方法。
【請求項１６】
前記領域において、前記第１の造形材料が配置される部分と前記第２の造形材料が配置される部分とがパターン状に配置されることを特徴とする請求項１５に記載の立体物の製造方法。
【請求項１７】
前記領域において、前記第１の造形材料が配置される部分と前記第２の造形材料が配置される部分のピッチが、少なくとも一方向において２ｍｍ未満であることを特徴とする請求項１６に記載の立体物の製造方法。
【請求項１８】
前記領域において、前記第１の造形材料が占める部分の合計面積をＳ１、第２の造形材料が占める部分の合計面積をＳ２としたとき、
０．２≦Ｓ１／（Ｓ１＋Ｓ２）≦０．８
を満たすことを特徴とする請求項１６または１７に記載の立体物の製造方法。
【手続補正２】
【補正対象書類名】明細書
【補正対象項目名】０００７
【補正方法】変更
【補正の内容】
【０００７】
上記課題を解決するため、本発明にかかるデータ処理装置は、三次元モデルの三次元形状データから生成された造形材料の種類およびその配置の情報を含むスライスデータに対して処理をおこなうデータ処理装置であって、前記スライスデータに含まれるｉ層のデータと（ｉ＋１）層のデータとを解析して第１の造形材料とは異なる第２の造形材料の層が前記第１の造形材料の上に積層される領域を抽出し、前記領域の面積と所定値とを比較して、前記領域の面積が前記所定値以上の場合には、前記領域内の第ｉ層および第（ｉ＋１）層の少なくとも一方のスライスデータを、第１の造形材料と第２の造形材料が、前記所定値よりも小さい面積で分散配置されるデータに変更することを特徴とする。
【手続補正３】
【補正対象書類名】明細書
【補正対象項目名】０００８
【補正方法】変更
【補正の内容】
【０００８】
また、本発明にかかるデータ処理方法は、三次元モデルの三次元形状データから生成された造形材料の種類およびその配置の情報を含むスライスデータに対しておこなうデータ処理方法であって、前記スライスデータに含まれるｉ層のデータと（ｉ＋１）層のデータとを解析して第１の造形材料とは異なる第２の造形材料の層が前記第１の造形材料の上に積層される領域を抽出するステップと、前記領域の面積と所定値とを比較して、前記領域の面積が所定値以上の場合には、前記領域内の第ｉ層および第（ｉ＋１）層の少なくとも一方のスライスデータを、第１の造形材料と第２の造形材料が、前記所定値よりも小さい面積で分散配置されるデータに変更するステップと、を含むことを特徴とする。
【手続補正４】
【補正対象書類名】明細書
【補正対象項目名】０００９
【補正方法】変更
【補正の内容】
【０００９】
さらに、本発明にかかる立体物の造形方法は、三次元モデルの三次元形状データから生成されるスライスデータに基づいて造形材料を積層する立体物の製造方法であって、前記スライスデータに従うと、第１の造形材料とは異なる第２の造形材料が前記第１の造形材料の上に積層する領域が所定値以上の面積で形成される場合に、前記領域において第１の造形材料と第２の造形材料が、前記所定値よりも小さい面積で分散配置されるように積層することを特徴とする。